(57)【要約】【課題】  各カードに記録された個人の識別情報に基づく管理サーバでのポイント管理という従来のポイントシステムに比べ、より簡易な態様によるポイントバック処理を実現する。【解決手段】  減算機（課金装置）Ａは、課金対象の機器Ｔであるテレビの視聴状況に応じて、課金処理部１５により患者用ＩＣカードＣａの残高ポイント値を減じると共に当該課金対象の種別の対象課金ポイント値を加算しており、所定のタイミングで、返還ポイント算出部１６によりポイントバック処理対象となる全ての種別の対象課金ポイント値の合計値に応じたポイント値を算出し、返還ポイント更新部１７により当該ポイント値に応じて患者用ＩＣカードＣａの残高ポイント値を増やすと共に当該ポイント値の算出に用いられた分だけ対象課金ポイントから減らす。【選択図】  図３
2009140120.tif 000002
【特許請求の範囲】
【請求項１】
課金可能な残高額に相当する値を示す残高ポイント値が記憶された利用者カードと、当該利用者カードを用いた課金対象の利用状況に応じて当該利用者カードに記憶された残高ポイント値を減じることでその利用に対する課金を行う課金装置と、を具備するカード課金システムにおいて、
前記利用者カードは、前記課金装置により課金された額であってポイントバック処理対象となる額の合計に相当する値を示す対象課金ポイント値を課金対象の種別毎に記憶しており、
前記課金装置は、
ポイントバック処理対象となる全ての種別の対象課金ポイント値の合計値に応じてポイントバックするポイント値の割合の情報を記憶する記憶手段と、
前記利用者カードを用いた課金対象の利用状況に応じて、当該利用者カードに記憶された残高ポイント値及び当該課金対象の種別の対象課金ポイント値を更新する課金手段と、
課金対象の利用に用いられている利用者カードについて、ポイントバック処理対象となる全ての種別の対象課金ポイント値を合計し、その合計値に応じたポイント値を前記記憶手段の記憶内容に基づいて算出する算出手段と、
前記算出手段により算出されたポイント値に基づいて前記利用者カードの記憶内容を更新する更新手段と、
を備えたことを特徴とするカード課金システム。
【請求項２】
請求項１に記載のカード課金システムにおいて、
前記更新手段は、前記算出手段により算出されたポイント値に応じて前記利用者カードに記憶された残高ポイント値を増やすと共に、当該ポイント値の算出に用いられた分だけ当該利用者カードに記憶された対象課金ポイント値から減らすことを特徴とするカード課金システム。
【請求項３】
請求項１に記載のカード課金システムにおいて、
前記利用者カードは、ポイントバックされたポイント値を合計した値であるポイント合計値を記憶し、
前記更新手段は、前記算出手段により算出されたポイント値に応じて前記利用者カードに記憶されたポイント合計値を増やすと共に、当該ポイント値の算出に用いられた分だけ当該利用者カードに記憶された対象課金ポイント値を減らすことを特徴とするカード課金システム。
【請求項４】
請求項３に記載のカード課金システムにおいて、
前記利用者カードに記憶されたポイント合計値に応じた情報を表示する紙を出力する出力手段、又は、前記利用者カードに記憶されたポイント合計値に応じた返金を行う返金手段の一方又は両方を備えた返金処理装置を具備することを特徴とするカード課金システム。
【請求項５】
請求項１乃至請求項４のいずれか１項に記載のカード課金システムにおいて、
前記記憶手段には、ポイントバック処理対象となる全ての種別の対象課金ポイント値の合計値に応じてポイントバックするポイント値の割合の情報と共に、課金に関する他の条件の情報が記憶されており、
前記算出手段は、前記記憶手段の記憶内容に基づいてポイント値を算出することを特徴とするカード課金システム。
【請求項６】
請求項１乃至請求項５のいずれか１項に記載のカード課金システムにおいて、
前記課金装置に対する設定を行うための設定情報を記憶した設定カードを具備し、
前記課金装置は、
前記設定カードに記憶された設定情報を読み取る読取手段と、
前記読取手段により読み取られた設定情報に基づいて前記記憶手段に情報を設定する設定手段と、
を備えたことを特徴とするカード課金システム。
【請求項７】
請求項１乃至請求項６のいずれか１項に記載のカード課金システムにおいて、
前記利用者カードは、課金対象の種別毎の対象課金ポイント値と共に、現在までに前記課金装置により課金された額の合計に相当する値を示す課金ポイント合計値を課金対象の種別毎に記憶することを特徴とするカード課金システム。
【請求項８】
請求項１乃至請求項７のいずれか１項に記載のカード課金システムにおいて、
前記カード課金システムは病院に設置され、
前記利用者カードは当該病院を利用する患者により用いられ、
前記課金装置による課金対象として、テレビ、電話、冷蔵庫、洗濯機、乾燥機、自動販売機、駐車料金精算機のうちの１つ以上に適用されることを特徴とするカード課金システム。
【請求項９】
課金可能な残高額に相当する値を示す残高ポイント値が記憶された利用者カードを用いた課金対象の利用状況に応じて、当該利用者カードに記憶された残高ポイント値を減じることでその利用に対する課金を行う課金装置において、
前記利用者カードは、前記課金装置により課金された額であってポイントバック処理対象となる額の合計に相当する値を示す対象課金ポイント値を課金対象の種別毎に記憶しており、
前記課金装置は、
ポイントバック処理対象となる全ての種別の対象課金ポイント値の合計値に応じてポイントバックするポイント値の割合の情報を記憶する記憶手段と、
前記利用者カードを用いた課金対象の利用状況に応じて、当該利用者カードに記憶された残高ポイント値及び当該課金対象の種別の対象課金ポイント値を更新する課金手段と、
課金対象の利用に用いられている利用者カードについて、ポイントバック処理対象となる全ての種別の対象課金ポイント値を合計し、その合計値に応じたポイント値を前記記憶手段の記憶内容に基づいて算出する算出手段と、
前記算出手段により算出されたポイント値に基づいて前記利用者カードの記憶内容を更新する更新手段と、
を備えたことを特徴とする課金装置。
【発明の詳細な説明】
【技術分野】
【０００１】
本発明は、課金可能な残高額に相当する値を示す残高ポイント値が記憶された利用者カードを用いた課金対象の利用状況に応じて、当該利用者カードに記憶された残高ポイント値を課金装置により減じることでその利用に対する課金を行うカード課金システムにおいて、特に、課金状況に応じたポイントバック処理を行うカード課金システムに関する。
【背景技術】
【０００２】
近年、各病院には、テレビ、冷蔵庫、電話、洗濯機、乾燥機といった様々な機器が設けられており、その病院の入院患者等により利用されている。
これらの機器には、例えば特許文献１に示されるように、事前入金額を示す情報が記録されたプリペイド形式の患者用カードにより、当該機器の利用状況（例えばテレビの視聴時間）に応じた課金を行う課金装置が付設され、入院患者は、当該患者用カードに対する事前入金額の範囲内で各機器を利用することができる。
【特許文献１】特開２００６−２９５４０７号公報
【発明の開示】
【発明が解決しようとする課題】
【０００３】
例えば、病院の職員による院内の売店、食堂、自動販売機等の利用に対する料金の支払いを、各職員の識別情報及び事前入金額を示す情報を記録したプリペイド形式の職員用カードにより行い、その課金額（支払額）に応じたポイントを当該職員に対してポイントバックし、当該ポイントに応じた景品との交換や、当該ポイントにより売店等における支払いを行えるようにするポイントシステムがある。
【０００４】
このようなポイントシステムでは、例えば売店に設置されたＰＯＳレジ等により職員用カードから記録情報（職員の識別情報及び事前入金額を示す情報）を読み取り、その入金額（残高）から料金を差し引いて課金すると共に、その課金額に応じたポイントを算出して職員の識別情報と共に管理サーバに送信し、管理サーバにて管理されている各職員毎の蓄積ポイントに加算する、というような処理が行われている。
つまり、従来のポイントシステムは、各カードに個人の識別情報を記録させておき、この識別情報に基づいて管理サーバにてポイント管理を行うものであった。
【０００５】
ここで、病院の入院患者等がカード販売機にて購入できるプリペイド形式の患者用カードにより、上述したような入院生活におけるテレビ、冷蔵庫、電話、洗濯機、乾燥機等の機器の利用に対する料金の支払の他、院内の売店、食堂、自動販売機等の利用に対する支払を行えるようにし、更に、退院後の通院時においてもこれら院内設備の利用に対する支払を行えるようなカード課金システムが実現されている。
【０００６】
このカード課金システムにおいては、カード入金機により患者用カードに対する追加入金を行って入金額（残高）を補充できるため、共通の患者用カードを用いて継続的に院内設備を利用することが可能となっており、このような患者用カードの継続利用の実情に鑑みて、患者用カードについても上記ポイントシステムを適用することが望まれている。
【０００７】
しかしながら、患者用カードに上記ポイントシステムを適用するには、患者用カードによる課金対象となる病室内の各テレビ、冷蔵庫、電話等のそれぞれの機器についても管理サーバと通信可能とする必要があるが、そのような通信システムの構築には多くの費用を要すると共に、システム構成が複雑になってしまう。また、上記ポイントシステムに必要な患者の識別情報を患者用カードに記録させるために、患者用カードを購入する際にその購入者に各種情報を入力させる必要があるが、その入力作業を購入者に負わせることになり、入院患者にとっては作業負担が大きく、その入力作業は継続的な患者用カードの利用予定が無い者にとっては無駄な作業となる。
【０００８】
本発明は、上記従来の事情に鑑みなされたものであり、各カードに記録された個人の識別情報に基づく管理サーバでのポイント管理という従来のポイントシステムに比べ、より簡易な態様によるポイントバック処理を実現することを目的としている。
【課題を解決するための手段】
【０００９】
本発明は、課金可能な残高額に相当する値を示す残高ポイント値が記憶された利用者カードと、当該利用者カードを用いた課金対象の利用状況に応じて当該利用者カードに記憶された残高ポイント値を減じることでその利用に対する課金を行う課金装置と、を具備するカード課金システムにより実現される。
【００１０】
本発明に係るカード課金システムでは、利用者カードは、課金装置により課金された額であってポイントバック処理対象となる額の合計に相当する値を示す対象課金ポイント値を課金対象の種別毎に記憶しており、課金装置は、ポイントバック処理対象となる全ての種別の対象課金ポイント値の合計値に応じてポイントバックするポイント値の割合の情報を記憶する記憶手段と、利用者カードを用いた課金対象の利用状況に応じて、当該利用者カードに記憶された残高ポイント値及び当該課金対象の種別の対象課金ポイント値を更新する課金手段と、課金対象の利用に用いられている利用者カードについて、ポイントバック処理対象となる全ての種別の対象課金ポイント値を合計し、その合計値に応じたポイント値を前記記憶手段の記憶内容に基づいて算出する算出手段と、当該算出されたポイント値に基づいて利用者カードの記憶内容を更新する更新手段と、を備えたことを特徴としている。
【００１１】
つまり、本発明に係るカード課金システムによると、利用者カードを用いた課金対象の利用状況に応じて当該利用者カードに記憶された残高ポイント値及び当該課金対象の種別の対象課金ポイント値を更新する課金装置が、ポイントバック処理対象となる全ての種別の対象課金ポイント値の合計値に応じたポイント値を算出し、当該ポイント値に基づいて利用者カードの記憶内容を更新してポイントバックを行うことから、従来のポイントシステムのように管理サーバを用意して各課金装置をネットワーク接続させる必要が無く、また、各カードに個人の識別情報を記憶させる必要も無いため、従来に比べて簡易な態様によりポイントバック処理することができる。
【００１２】
本発明に係るカード課金システムによるポイントバック処理の一態様としては、更新手段は、算出手段により算出されたポイント値に応じて利用者カードに記憶された残高ポイント値を増やすと共に、当該ポイント値の算出に用いられた分だけ当該利用者カードに記憶された対象課金ポイント値から減らす。
この場合、利用者カードに記憶された残高ポイント値にポイントバックされるため、利用者は、そのポイント値を各種料金の支払に充てることができる。
【００１３】
本発明に係るカード課金システムによるポイントバック処理の他の態様としては、利用者カードは、ポイントバックされたポイント値を合計した値であるポイント合計値を記憶し、更新手段は、算出手段により算出されたポイント値に応じて利用者カードに記憶されたポイント合計値を増やすと共に、当該ポイント値の算出に用いられた分だけ当該利用者カードに記憶された対象課金ポイント値を減らす。
【００１４】
この場合、利用者カードに記憶されたポイント合計値に応じた情報を表示する紙を出力する出力手段、又は、利用者カードに記憶されたポイント合計値に応じた返金を行う返金手段の一方又は両方を備えた返金処理装置をカード課金システムに設けることで、利用者は、前記出力された紙（換金用紙）を窓口（例えば売店の店員）に提示して払い戻しを受けることができ、又は、返金処理装置から直接払い戻しを受けることができる。
なお、返金処理装置としては、例えば、利用者カードに対する追加入金を行うためのカード入金機や、利用者カードを回収して残りの入金額（残高）やカードの保証金を払い戻すためのカード精算機等により実現することができる。
【００１５】
なお、課金装置は、記憶手段に、ポイントバック処理対象となる全ての種別の対象課金ポイント値の合計値に応じてポイントバックするポイント値の割合の情報と共に、課金に関する他の条件の情報を記憶させておき、その記憶内容に基づいて算出手段がポイント値を算出するようにしてもよい。他の条件としては、例えば、ポイントバック処理対象の種別や期間を限定する条件、或る種別や期間についてポイントバックする割合を増やす条件などがある。
【００１６】
また、カード課金システムは、課金装置に対する設定を行うための設定情報を記憶した設定カードを具備し、課金装置は、設定カードに記憶された設定情報を読み取る読取手段と、読取手段により読み取られた設定情報に基づいて記憶手段に情報を設定する設定手段と、を更に備えるようにしてもよく、これにより、ポイントバックするポイント値の割合や上記条件の設定を容易に行うことが可能となる。
【００１７】
また、利用者カードに、課金対象の種別毎の対象課金ポイント値と共に、現在までに前記課金装置により課金された額の合計に相当する値を示す課金ポイント合計値を課金対象の種別毎に記憶させるようにしてもよい。
つまり、ポイントバックするポイント値の計算に用いる対象課金ポイント値とは別に利用者カードに記憶させた課金ポイント合計値によって、テレビや洗濯機等の各機器のレンタル業者に支払うレンタル料金をその利用状況に応じて算出することができる。なお、各利用者カードに記憶された課金ポイント合計値は、カード入金機やカード精算機等により収集して課金対象の種別毎に集計すればよい。
【００１８】
ここで、本発明に係るカード課金システムの典型的な態様としては、カード課金システムは病院に設置され、利用者カードは当該病院を利用する患者により用いられ、課金装置による課金対象として、テレビ、電話、冷蔵庫、洗濯機、乾燥機、自動販売機、駐車料金精算機のうちの１つ以上に適用される。
【００１９】
本発明は、上記のようなカード課金システムとして実現されるほか、当該カード課金システムにより実現される方法、当該カード課金システムを構成する課金装置、当該課金装置をコンピュータにより実現するためのプログラム、当該プログラムを記憶した記憶媒体、等の種々の態様により実現することもできる。
【発明の効果】
【００２０】
本発明に係るカード課金システムによると、従来のポイントシステムのように管理サーバを用意して各課金装置をネットワーク接続させる必要が無く、また、各カードに個人の識別情報を記憶させる必要も無いため、従来に比べて簡易な態様によりポイントバック処理することができる。
【発明を実施するための最良の形態】
【００２１】
本発明を、図に示す一実施形態に基づいて具体的に説明する。
ここで、本発明に係るカード課金システムにおいては、利用者カードとして、当該カードのメモリに対するデータアクセス（情報の書込み及び読出し）が課金装置との接触通信により行われる接触式カードを用いてもよく、非接触通信により行われる非接触式カードを用いてもよい。また、例えばＲＦＩＤタグを設けたカードを用いてもよく、種々の形式のカードを採用することができる。本例では、病院の患者に利用されるプリペイド形式の接触式ＩＣカードを利用者カードとして用いており、以下の説明では患者用ＩＣカードと記す。
【００２２】
図１には、本発明の実施形態の一例として、病院に設置されたカード課金システムの概要を示してある。
本例のカード課金システムには、患者用ＩＣカードＣａを販売するカード販売機Ｍａ、患者用ＩＣカードＣａに対する追加入金を行うカード入金機Ｍｂ、患者用ＩＣカードＣａを回収して残金及び保証金の払い戻しを行うカード精算機Ｍｃが設けられている。
そして、本例のカード課金システムの利用者（例えば入院患者）は、課金対象の機器Ｔとして各病室に設置されたテレビ・電話・冷蔵庫、及び共有スペースに設置された洗濯機・乾燥機を、患者用ＩＣカードＣａに対する事前入金額（残高）の範囲内で利用することができる。なお、これらの機器Ｔには減算機（課金装置）Ａが付設されており、各減算機Ａにより、そのカード挿入スロットに装填された患者用ＩＣカードＣａに対して各機器Ｔの利用状況（利用時間や利用回数）に応じた課金が行われる。
【００２３】
また、本例のカード課金システムには、駐車場の利用時間に応じて患者用ＩＣカードＣａから課金を行う減算機Ａを内蔵した駐車料金精算機や、購入対象の商品に応じて患者用ＩＣカードＣａから課金を行う減算機Ａを内蔵した自動販売機が、課金対象の機器Ｔとして更に設置されており、利用者（例えば通院患者）の利用に供されている。
また、患者用ＩＣカードＣａは、売店における商品の購入、食堂や喫茶店における飲食、理髪店における調髪、等に対する料金の支払にも用いることができ、各店舗に設けられたＰＯＳレジ（課金装置）Ｒにより課金される。
このように、本例のカード課金システムの利用者は、１枚の患者用ＩＣカードＣａにより病院の各設備（課金対象）を複合的且つ継続的に利用することができる。
【００２４】
図２は、本例に係る患者用ＩＣカードＣａの機能ブロック図を示している。
本例の患者用ＩＣカードＣａは、各種情報を記憶するメモリ２２、当該メモリに対するデータアクセス（情報の書込み及び読出し）のインターフェースである入出力Ｉ／Ｆ２１、を備えている。
【００２５】
患者用ＩＣカードＣａのメモリ２２には、課金可能な残高額に相当する値を示す残高ポイント、課金装置（減算機Ａ及びＰＯＳレジＲ）により課金された額に相当する値を示す課金ポイント、が記憶される。
なお、本例では、メモリ２２の記憶内容を図６に例示するように、課金ポイントは、現在までに課金装置により課金された額の合計に相当する値を示す課金ポイント合計値（図６における「合計値」）と、課金装置により課金された額であってポイントバック処理対象となる額の合計に相当する値を示す対象課金ポイント（図６における「処理対象値」）とにより構成され、各課金ポイントは課金対象の種別毎に記憶されている。
【００２６】
図３は、本発明に係る課金装置の一例として、テレビに付設された減算機（タイマー）Ａの機能ブロック図を示している。
本例の減算機Ａは、カード挿入スロットに装填された患者用ＩＣカードＣａのメモリ２２（及び後述する設定用ＩＣカードＣｂのメモリ３２）に対するデータアクセスを行うカードアクセス部１３、ポイントバック処理に用いるポイントバックデータを記憶するポイントレートメモリ１１、テレビの電源状態（オン又はオフ）の監視及び制御を行う電源制御部１２、各種データ処理を行うデータ処理部１３、を備えている。
【００２７】
ポイントレートメモリ１１は、その記憶内容を図４に例示するように、ポイントバック処理対象となる全ての種別の対象課金ポイントの合計値に応じてポイントバックする値の割合を示すポイントレート、ポイントバック処理を行う合計値の単位を示す処理単位、の各データ項目からなるポイントレートデータが記憶されている。
【００２８】
同図では、ポイントレートとして“０．０５”、処理単位として“２００ｐ”が設定されており、つまり、テレビ視聴に用いられている（カード挿入スロットに装填されている）患者用ＩＣカードＣａにおける対象課金ポイントの合計について２００ｐ単位で５％（１０ｐ）ずつポイントバック（本例では残高ポイントに加算）が行われることになる。なお、処理単位のデータ項目を設けない構成としてもよく、その場合にはポイントバックする値に端数が生じるが、端数の切り上げ、切り捨て、四捨五入、等の所定の算術演算により調整すればよい。
【００２９】
データ処理部１３は、課金処理部１５、返還ポイント算出部１６、返還ポイント更新部１７、ポイントレート設定部１８、を備えている。
課金処理部１５は、該減算機Ａが付設された機器Ｔの利用時間を計時し、一定時間の経過毎に、患者用ＩＣカードＣａに記憶されている残高ポイント及び課金対象の種別の課金ポイント（課金ポイント合計値及び対象課金ポイント）を更新する更新処理を行う。つまり、本例では、テレビ視聴の時間に応じて残高ポイントを減ずると共に、種別が“テレビ”の課金ポイント合計値及び対象課金ポイントを増やす。
【００３０】
なお、課金処理部１５は、電源制御部１２によるテレビの電源状態の監視結果に基づいて電源の投入から切断までの時間を計時し、テレビの視聴時間を算出している。また、本例の課金処理部１５は、患者用ＩＣカードＣａの排出指示がなされたときや、患者用ＩＣカードＣａの残高ポイントが“０”のときに、電源制御部１２によりテレビの電源を切断させて、テレビ視聴を終了させる処理も行う。
【００３１】
返還ポイント算出部１６は、課金対象の利用（本例ではテレビ視聴）に用いられている患者用ＩＣカードＣａについて、ポイントバック処理対象となる全ての種別の対象課金ポイントを合計し、その合計値に応じたポイント値をポイントレートメモリ１１の記憶内容に基づいて算出する返還ポイント算出処理を行う。
【００３２】
返還ポイント更新部１７は、返還ポイント算出部１６により算出されたポイント値に応じて患者用ＩＣカードＣａに記憶された残高ポイントを増やすと共に、当該ポイント値の算出に用いられた分だけ患者用ＩＣカードＣａに記憶された対象課金ポイントから減らす返還ポイント更新処理を行う。
【００３３】
ポイントレート設定部１８は、設定用ＩＣカードＣｂの記憶内容に基づいてポイントレートメモリ１１の設定を行う。
ここで、設定用ＩＣカードＣｂは、図５に機能ブロック図を示すように、ポイントレートメモリ１１に設定される設定データを記憶するメモリ３２、当該メモリに対するデータアクセス（情報の書込み及び読出し）のインターフェースである入出力Ｉ／Ｆ３１、を備えている。この設定データは、図４に示したようなポイントレートメモリ１１に記憶されるポイントレートデータと同様なデータ項目で構成されており、ポイントレート設定部１８の制御の下、カードアクセス部１３により読み出されてポイントレートメモリ１１に設定される。
つまり、設定用ＩＣカードＣｂの挿入という簡単な操作によってポイントレートの設定を変更することができる。
【００３４】
なお、ポイントレートメモリ１１に、例えば、ポイントレートデータが適用される課金対象の種別や期間を限定する条件を設定するようにしてもよく、或る種別や期間についてポイントバックする割合を増やす条件を設定するようにしてもよく、これらの場合にも、設定用ＩＣカードＣｂによってその設定を容易に変更することができる。また、その設定内容によっては、課金対象の種別が１つのみとなっても構わない。
【００３５】
図６は、患者用ＩＣカードＣａのメモリ２２の記憶内容を例示している。
同図によると、残高ポイントが“４０００ｐ”であり、種別が“テレビ”に係る課金ポイントの合計値（課金ポイント合計値）が“６３０ｐ”、処理対象値（対象課金ポイント）が“３０ｐ”であり、種別が“電話”に係る課金ポイントの合計値が“２００ｐ”、処理対象値が“０ｐ”であり、種別が“冷蔵庫”に係る課金ポイントの合計値が“１５０ｐ”、処理対象値が“５０ｐ”であり、種別が“売店”に係る課金ポイントの合計値が“４４０ｐ”、処理対象値が“４０ｐ”である。
なお、本例では、残高ポイントとして、残高額を一定の比率で変換した値を用いているが、残高額そのものを用いてもよい。また、課金ポイント（合計値及び処理対象値）として、課金額を一定の比率で変換した値を用いているが、課金額そのものを用いてもよい。
【００３６】
患者用ＩＣカードＣａのメモリ２２は、以下に例示するような手順で減算機Ａにより更新される。
例えば、一定時間（本例では１０分）のテレビ視聴がなされる毎に、残高ポイントから視聴に応じた分（本例では１０ｐ）ずつ残高ポイントが減算されると共に、種別が“テレビ”に係る課金ポイント（合計値及び処理対象値）が加算される。つまり、図６のデータが記憶された患者用ＩＣカードＣａを用いて８０分のテレビ視聴がなされた場合には、残高ポイントから“８０ｐ”減算されて“３９２０ｐ”となり、種別が“テレビ”に係る課金ポイントの合計値及び処理対象値にそれぞれ“８０ｐ”加算されて、合計値“７１０ｐ”、処理対象値“１１０ｐ”となる。このとき、各種別の処理対象値を合計すると“２００ｐ”となり、ポイントレートメモリ１１の処理単位“２００ｐ”に至ったため、ポイントレート“０．０５”（５％）に応じた“１０ｐ”がポイントバック（本例では残高ポイントに加算）されて残高ポイントが“３９３０ｐ”となり、各種別の処理対象値がそれぞれ減ぜられる（“０ｐ”にリセットされる）。
【００３７】
次に、本例の減算機Ａによる課金処理及びポイントバック処理の一例を、図７に示す処理フロー図を参照して説明する。
テレビ（課金対象の機器Ｔ）に付設された減算機Ａは、利用者によりカード挿入スロットに患者用ＩＣカードＣａが装填されて視聴指示を受け付けると、電源制御部１２によりテレビの電源を投入させてテレビ視聴を開始させる（ステップＳ１）。
【００３８】
減算機Ａでは、課金処理部１２によりテレビ視聴の時間を計時しており、一定時間（例えば１０分）の経過毎に（ステップＳ２）、課金処理（ステップＳ４）、返還ポイント算出処理（ステップＳ５）、返還ポイント更新処理（ステップＳ６）を行い、テレビ視聴の終了指示（電源の切断指示やカードの排出指示など）がなされた場合（ステップＳ３）、又は、患者用ＩＣカードＣａの残高ポイントが“０”となった場合（ステップＳ７）に、電源制御部１２によりテレビの電源を切断させてテレビ視聴を終了させると共に、患者用ＩＣカードＣａを排出する。
【００３９】
なお、図７の処理フロー図では、返還ポイント算出処理及び返還ポイント更新処理からなるポイントバック処理を課金処理の都度行っているが、一連の課金処理の終了時（例えば、テレビの電源が切断されたとき、患者用ＩＣカードＣａの排出指示がなされたとき、患者用ＩＣカードＣａの残高ポイントが“０”となったとき）に行ってもよく、或いは、課金処理の都度、返還ポイント算出処理を行っておき、一連の課金処理の終了時に返還ポイント更新処理を行ってもよい。
【００４０】
ここで、上記説明はテレビに付設された減算機Ａに関するものであるが、課金対象である他の各機器Ｔに付設又は内蔵された減算機Ａ及び売店等の店舗に設置されたＰＯＳレジＲも、上記課金処理及びポイントバック処理と同様な機能を有しており、その説明については割愛する。また、テレビ（例えば、チューナー付液晶モニタ）の一般的な用途はテレビ視聴であるが、例えば、食事の注文、売店等への商品の注文、インターネットの利用を行う際の表示部としても用いてもよく、この場合は、当該テレビに付設された減算機Ａにより、これら課金対象の種別（例えば、テレビ視聴、食事注文、商品注文、インターネット利用）毎に課金処理及びポイントバック処理を行うようにしてもよい。
【００４１】
また、上記説明においては、患者用ＩＣカードＣａの残高ポイントへのポイントバックについて説明したが、図２に破線で示すように、患者用ＩＣカードＣａのメモリ２２に返還ポイントの格納域を設け、当該返還ポイントへのポイントバックを行うようにし、カード入金機Ｍｂやカード精算機Ｍｃにより当該返還ポイントに基づく払い戻し等を行うようにしてもよい。
この場合における減算機Ａの返還ポイント更新部１７の処理としては、返還ポイント算出部１６により算出されたポイント値に応じて患者用ＩＣカードＣａに記憶された返還ポイントを増やすと共に、当該ポイント値の算出に用いられた分だけ患者用ＩＣカードＣａに記憶された対象課金ポイントから減らす。
【００４２】
図７は、上記返還ポイントへのポイントバックに対応した処理を行うカード精算機Ｍｃの機能ブロック図が示してある。
本例のカード精算機Ｍｃは、患者用ＩＣカードＣａのメモリ２２に対するデータアクセスを行うカードアクセス部４２、課金ポイントの合計値を課金対象の種別毎に蓄積するデータベース（ＤＢ）４１、各種データ処理を行うデータ処理部４３、を備えている。なお、ＤＢ４１に蓄積された課金対象の種別毎の課金ポイントの合計値は、課金対象の機器Ｔ（テレビや洗濯機等）のレンタル業者に支払うレンタル料金をその利用状況に応じて算出する用途などに用いられる。
【００４３】
データ処理部４３は、カード挿入スロットに装填された患者用ＩＣカードＣａから課金対象の種別毎の課金ポイントの合計値を収集してＤＢ４１に蓄積させるデータ収集部４４、当該患者用ＩＣカードＣａの返還ポイント分を残高ポイントに加算して返還ポイントを減ずる（“０ｐ”にリセットする）返還ポイント処理部４５、当該患者用ＩＣカードＣａを回収して残高ポイントに相当する金額及び保証金を払い戻す精算処理部４６を備えている。
【００４４】
なお、返還ポイント処理部４５により返還ポイントを残高ポイントに加算する処理のみを行ってもよく、又は、その処理を行った上で精算処理部４６により払い戻しを行ってもよく、本例では、カード精算機Ｍｃの筐体に設けられたボタンにより利用者が指示することができる。
また、返還ポイント処理部４５は、残高ポイントに対する返還ポイントの加算に代えて、返還ポイントに応じた情報（ポイント値又はこれに相当する金額）を表示する換金用紙を印字出力し、これを窓口（例えば売店の店員）へ提示させて払い戻しさせるようにしてもよく、又は、当該カード精算機Ｍｃにより直接払い戻しさせるようにしてもよい。
【００４５】
ここで、本例の課金装置（減算機Ａ及びＰＯＳレジＲ）は、各種演算処理を行うＣＰＵ、その作業領域となるＲＡＭ、本発明に係る各機能を実現するためプログラムを記憶するＲＯＭ、等のハードウェア資源を有するコンピュータで構成されており、当該プログラムを各ハードウェア資源を用いて実行することで、本発明に係る各機能手段を課金装置のコンピュータに実現している。
【００４６】
なお、上記プログラムは、例えば、当該プログラムを記憶したＣＤ−ＲＯＭ等の記憶媒体を配布する形式や、ネットワークを介して配信する形式で、本発明の実施者に提供される。また、課金装置の各機能手段は、本例のようなソフトウェア構成により実現する態様に限られず、それぞれ専用のハードウエアモジュールで構成してもよい。また、各機能手段は、本例のように１台のコンピュータに設ける態様に限られず、複数台のコンピュータに分散して設けてもよい。
【００４７】
また、本例では、病院の各設備の利用について適用されたカード課金システムについて説明したが、例えば、ホテル、旅館、養護老人ホーム等の各施設における設備の利用について本発明を適用してもよい。
【図面の簡単な説明】
【００４８】
【図１】本発明の一実施形態に係るカード課金システムの概要を示す図である。
【図２】本発明の一実施形態に係る患者用ＩＣカードの機能ブロック図である。
【図３】本発明の一実施形態に係る減算機の機能ブロック図である。
【図４】本発明の一実施形態に係る減算機のポイントレートメモリのデータ例を示す図である。
【図５】本発明の一実施形態に係る設定用ＩＣカードの機能ブロック図である。
【図６】本発明の一実施形態に係る患者用ＩＣカードのメモリのデータ例を示す図である。
【図７】本発明の一実施形態に係るポイントバック処理の処理フロー図を示す図である。
【図８】本発明の一実施形態に係るカード精算機の機能ブロック図である。
【符号の説明】
【００４９】
Ｃａ：患者用ＩＣカード、  Ｃｂ：設定用ＩＣカード、  Ａ：減算機、  Ｔ：課金対象機器、  Ｒ：ＰＯＳレジ、  Ｍａ：カード販売機、  Ｍｂ：カード入金機、  Ｍｃ：カード精算機、  １１：ポイントレートメモリ、  １２：電源制御部、  １３：カードアクセス部、  １４：データ処理部、  １５：課金処理部、  １６：返還ポイント算出部、  １７：返還ポイント更新部、  １８：ポイントレート設定部、  ２１、３１：入出力Ｉ／Ｆ、  ２２、３２：カードメモリ
【図１】
2009140120.tif 000003
【図２】
2009140120.tif 000004
【図３】
2009140120.tif 000005
【図４】
2009140120.tif 000006
【図５】
2009140120.tif 000007
【図６】
2009140120.tif 000008
【図７】
2009140120.tif 000009
【図８】
2009140120.tif 000010